(57)【要約】【課題】車両の衝突時における電気機器と、該電気機器の衝突方向後方に位置する部品との二次衝突を、より回避し易くする。【解決手段】電気機器の車両搭載構造Ｓ１は、車両１６に搭載される電気機器１０と、車両内外方向において、電気機器１０の車両外側に設けられた下突出部材１２（外側部材）と、車両内外方向において、電気機器１０の車両内側に設けられた上突出部材１４と、を有し、車両内外方向での車両１６の衝突時に、電気機器１０を、下突出部材１２（外側部材）及び上突出部材１４により車両外側及び車両内側から押圧して回転させる。【選択図】図１
2018086901.tif 000002
【特許請求の範囲】
【請求項１】
車両に搭載される電気機器と、
車両内外方向において、前記電気機器の車両外側に設けられた外側部材と、
前記車両内外方向において、前記電気機器の車両内側に設けられた内側部材と、を有し、
前記車両内外方向での前記車両の衝突時に、前記電気機器を、前記外側部材及び前記内側部材により前記車両外側及び前記車両内側から押圧して回転させる電気機器の車両搭載構造。
【発明の詳細な説明】
【技術分野】
【０００１】
本発明は、電気機器の車両搭載構造に関する。
【背景技術】
【０００２】
車両の電気機器の保護構造として、電気機器の前方に傾斜部材を設け、車両の前面衝突時電気機器を回転移動させて、電気機器とその後方部品との衝突を回避させる構造が開示されている（特許文献１参照）。
【先行技術文献】
【特許文献】
【０００３】
【特許文献１】特開２０１６−２９６０号公報
【発明の概要】
【発明が解決しようとする課題】
【０００４】
しかしながら、上記した従来例では、衝突の仕方によっては電気機器を回転移動できない可能性がある。
【０００５】
本発明は、車両の衝突時における電気機器と、該電気機器の衝突方向後方に位置する部品との二次衝突を、より回避し易くすることを目的とする。
【課題を解決するための手段】
【０００６】
本発明に係る電気機器の車両搭載構造は、車両に搭載される電気機器と、車両内外方向において、前記電気機器の車両外側に設けられた外側部材と、前記車両内外方向において、前記電気機器の車両内側に設けられた内側部材と、を有し、前記車両内外方向での前記車両の衝突時に、前記電気機器を、前記外側部材及び前記内側部材により前記車両外側及び前記車両内側から押圧して回転させる。
【０００７】
この電気機器の車両搭載構造では、車両の衝突時に、車両に搭載された電気機器を、外側部材及び内側部材により車両外側及び車両内側から押圧して回転させる。これにより、電気機器とその衝突方向後方に位置する部品とが、車両の変形に伴い接近しても、互いの干渉が抑制される。
【発明の効果】
【０００８】
本発明によれば、車両の衝突時における電気機器と、該電気機器の衝突方向後方に位置する部品との二次衝突を、より回避し易い。
【図面の簡単な説明】
【０００９】
【図１】第１実施形態に係る電気機器の車両搭載構造を示す断面図である。
【図２】第１実施形態に係る電気機器の車両搭載構造を示す平面図である。
【図３】第２実施形態に係る電気機器の車両搭載構造を示す斜視図である。
【図４】第２実施形態に係る電気機器の車両搭載構造を示す断面図である。
【図５】第２実施形態に係る電気機器の車両搭載構造において、ポール衝突が発生したときの変形状態を示す斜視図である。
【図６】第２実施形態に係る電気機器の車両搭載構造において、ポール衝突が発生したときの変形状態を示す断面図である。
【発明を実施するための形態】
【００１０】
以下、本発明を実施するための形態を図面に基づき説明する。
【００１１】
［第１実施形態］
図１、図２において、本実施形態に係る電気機器の車両搭載構造Ｓ１は、電気機器１０と、外側部材の一例たる下突出部材１２と、内側部材の一例たる上突出部材１４と、を有している。
【００１２】
電気機器１０は、車両１６に搭載される、例えばインバータやバッテリである。この電気機器１０は、例えばエプロンアッパメンバ１８の車幅方向内側に配置されている。エプロンアッパメンバ１８は、車両１６のエンジンコンパートメント２０の車幅方向両側に設けられ、車両前後方向に延びる車両骨格部材である。エプロンアッパメンバ１８の車幅方向両側には、ボデーパネル２２が設けられている。このボデーパネル２２は、例えば車両側部に設けられるフェンダーパネルである。エンジンコンパートメント２０における電気機器１０の車幅方向内側には、例えばエンジン２６が設けられている。
【００１３】
図１において、下突出部材１２は、車両内外方向において、電気機器１０の車両外側に設けられた荷重伝達部材である。本実施形態における車両内外方向は、車幅方向である。下突出部材１２は、エプロンアッパメンバ１８と電気機器１０との間に配置されており、車両前後方向から見て例えばＬ字形に形成されている。下突出部材１２は、電気機器１０の下側部分に向けて車幅方向内側へ延びている。
【００１４】
図１、図２において、上突出部材１４は、電気機器１０の車両前後方向の両側にそれぞれ設けられている。上突出部材１４のうち内側端１４Ａは、電気機器１０の車両内側に設けられている。この内側端１４Ａが、電気機器１０の上側部分の車幅方向内側面に当接又は近接している。上突出部材１４の外側端１４Ｂは、エプロンアッパメンバ１８に固定されている。
【００１５】
本実施形態では、上突出部材１４のうち、内側端１４Ａが、車両内外方向において、電気機器１０の車両内側に設けられている。このように、上突出部材１４の全体が電気機器１０の車両内側に設けられる必要はなく、車両１６の衝突時に電気機器１０を押圧して回転させることができるように、少なくとも一部（内側端１４Ａ）が電気機器１０の車両内側に設けられていればよい。
【００１６】
図２に示されるように、この上突出部材１４は、電気機器１０の車両前後方向の両側にそれぞれ設けられている。この一対の上突出部材１４同士の間隔は、車両内側よりも車両外側が広く設定されている。上突出部材１４の外側端１４Ｂの位置における一対の上突出部材１４同士の間隔は、衝突対象であるポール２４の幅よりも大きく設定されている。なお、一対の上突出部材１４は、平面視でハット形状となるように、一体的に構成されていてもよい。
【００１７】
電気機器１０の下側部分とは、該電気機器１０の重心より車両上方の部位である。また、電気機器１０の上側部分とは、該電気機器１０の重心より車両下方の部位である。好ましくは、電気機器１０の下側部分は、電気機器１０の下端から車両上側に、該電気機器１０の上下寸法の１／３以内の領域である。同様に、電気機器１０の上側部分は、電気機器１０の上端から車両下側に、該電気機器１０の上下寸法の１／３以内の領域である。
【００１８】
電気機器の車両搭載構造Ｓは、車両１６の衝突時に、電気機器１０を、下突出部材１２及び上突出部材１４により、車両外側及び車両内側から押圧して回転させるようになっている。
【００１９】
（作用）
本実施形態は、上記のように構成されており、以下その作用について説明する。図１、図２において、本実施形態に係る電気機器の車両搭載構造Ｓ１では、車両１６の例えばポール２４に対する側面衝突時に、車両１６に搭載された電気機器１０が、下突出部材１２及び上突出部材１４により車両外側及び車両内側から押圧されて回転する。
【００２０】
具体的には、ポール２４が、電気機器１０の側方における一対の上突出部材１４の間に衝突し、エプロンアッパメンバ１８が車両内側に押し込まれることで、電気機器１０の下側部分が下突出部材１２により車両内側に押圧される（矢印Ａ）。更にポール２４の侵入によりエプロンアッパメンバ１８が車両内側に屈曲変形すると、上突出部材１４が車両外側に引っ張られる。上突出部材１４の内側端１４Ａは、電気機器１０の上側部分に当接しており、換言すれば上突出部材１４が電気機器１０に引っ掛けられているので、電気機器１０の上側部分が車両外側に押圧される（矢印Ｂ方向）。
【００２１】
これにより、電気機器１０が矢印Ｃ方向に回転し、電気機器１０の車幅方向内側部分が車両上方に回転移動する。したがって、車両１６の変形に伴い、電気機器１０とその衝突方向後方に位置するエンジン２６等の部品とが接近しても、互いの干渉が抑制される。このため、電気機器１０とエンジン２６等の部品との二次衝突が回避され易い。
【００２２】
［第２実施形態］
図３、図４において、本実施形態に係る電気機器の車両搭載構造Ｓ２は、電気機器１０と、外側部材の一例たる傾斜部材３２と、内側部材の一例たるストッパ部３８と、を有している。
【００２３】
傾斜部材３２は、車両内外方向において、電気機器１０の車両外側に設けられた運動方向変換部材である。この傾斜部材３２は、エプロンアッパメンバ１８と電気機器１０との間に配置されると共に、エプロンアッパメンバ１８に固定された部材である。傾斜部材３２は、エプロンアッパメンバ１８に沿って車両前後方向に延びている。傾斜部材３２の前端３２Ａは、電気機器１０より車両前方側に位置し、後端３２Ｂは電気機器１０より車両後方側に位置している。傾斜部材３２は、車両前後方向から見て、例えば直角三角形に形成されている。傾斜部材３２には、車幅方向内側の斜め上方を向く傾斜面３２Ｃが設けられている。この傾斜面３２Ｃは、電気機器１０の下側の角部３０と車幅方向に対向している。傾斜面３２Ｃの上端は、角部３０より車両上方側に位置し、傾斜面３２Ｃの下端は、角部３０よりも車両下方側に位置している。つまり、傾斜面３２Ｃは、傾斜部材３２が車幅方向内側に移動したときに角部３０に当接する高さに配置されている。
【００２４】
ストッパ部３８は、取付けブラケット３４における平面状の基部３６に設けられている。基部３６は、ねじ等の固定手段４０を用いて電気機器１０の底面に固定されると共に、支持部材４２の上面に固定されている。ストッパ部３８は、基部３４Ａの車両上方側に突出形成され、電気機器１０の下側部分の車幅方向内側に位置している。ストッパ部３８の前端３８Ａは電気機器１０より車両前方側に位置し、後端３８Ｂは電気機器１０より車両後方側に位置している。支持部材４２は、車両骨格の一部、又はエンジンコンパートメント２０内に設けられる部材である。
【００２５】
図４に示されるように、エンジンコンパートメント２０における電気機器１０の車幅方向内側には、例えばエンジン２６が設けられている。また、エンジンコンパートメント２０におけるエンジン２６の車幅方向外側、かつ取付けブラケット３４のストッパ部３８の車両下方には、フレーム４４が設けられている。フレーム４４は、車両前後方向に延びる例えばサイドメンバである。
【００２６】
他の部分については、第１実施形態と同様であるので、同一の部分には図面に同一の符号を付し、説明を省略する。
【００２７】
（作用）
本実施形態は、上記のように構成されており、以下その作用について説明する。図５、図６において、本実施形態に係る電気機器の車両搭載構造Ｓ２では、車両１６の例えばポール２４に対する側面衝突時に、車両１６に搭載された電気機器１０が、傾斜部材３２及びストッパ部３８により車両外側及び車両内側から押圧されて回転する。図６は、電気機器１０が回転する作用を理解し易くするため、エプロンアッパメンバ１８及び傾斜部材３２に対して各部が相対変位するように描かれている。
【００２８】
ポール２４の侵入に伴い、エプロンアッパメンバ１８が車幅方向内側に凸に屈曲変形し、傾斜部材３２が車幅方向内側に変位し、電気機器１０に当接する。電気機器１０が、傾斜部材３２に押されて車幅方向内側に変位すると、下側部分がストッパ部３８に引っ掛かる。そうすると、電気機器１０に矢印Ｄ方向の反力が作用する。傾斜部材３２の車幅方向内側への変位は、ストッパ部３８の車幅方向内側への変位よりも大きい。この相対的な変位差により、傾斜部材３２がストッパ部３８に接近することで、電気機器１０の角部３０が傾斜面３２Ｃ上を矢印Ｅ方向に滑り上がる。この際、電気機器１０と取付けブラケット３４とを固定している固定手段４０は、破断する。
【００２９】
これにより、電気機器１０が矢印Ｆ方向に回転し、電気機器１０の車幅方向内側部分が車両上方に回転移動し、エンジン２６等の部品の変位ストロークが確保される。したがって、車両１６の変形に伴い、電気機器１０とその衝突方向後方に位置するエンジン２６等の部品とが接近しても、互いの干渉が抑制される。このため、電気機器１０とエンジン２６等の部品との二次衝突が回避され易い。なお、エンジン２６の車幅方向外側への移動は、フレーム４４により抑制されるため、電気機器１０とエンジン２６との二次衝突は、より一層回避される。
【００３０】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００３１】
車両衝突時の形態を、ポール２４に対する側面衝突として説明したが、前面衝突を考慮して同様の構成とすることも可能である。この場合、車両内外方向は、車両前後方向となる。
【符号の説明】
【００３２】
１０    電気機器
１２    下突出部材（外側部材）
１４    上突出部材（内側部材）
１６    車両
３２    傾斜部材（外側部材）
３４    ストッパ部（内側部材）
Ｓ１    電気機器の車両搭載構造
Ｓ２    電気機器の車両搭載構造
【図１】
2018086901.tif 000003
【図２】
2018086901.tif 000004
【図３】
2018086901.tif 000005
【図４】
2018086901.tif 000006
【図５】
2018086901.tif 000007
【図６】
2018086901.tif 000008